(57)【特許請求の範囲】
【請求項１】
ケース本体と、このケース本体の上部開口を開閉自在に覆う蓋体と、この蓋体の内部に収納されたヒータと、前記ケース本体内に上下可動に設けられた押し上げ板と、を備え、前記蓋体を閉じた状態で前記押し上げ板上に載置されウェットティッシュを前記蓋体に当接させて前記ウェットティッシュを温めるウェットティッシュウォーマーにおいて、前記押し上げ板は、中央部を上方に凸部とした上げ底形状であることを特徴とするウェットティッシュウォーマー。
【請求項２】
前記蓋を開けてウェットティッシュを取り出す時点で、前記押し上げ板の上方への移動を阻止している移動阻止手段を備えたことを特徴とする請求項１記載のウェットティッシュウォーマー。
【請求項３】
前記蓋の開成に連動させて前記押し上げ板に作用して、ウェットティッシュを取り出す時点で、前記押し上げ板の上方への移動を阻止している移動阻止手段を備えたことを特徴とする請求項１記載のウェットティッシュウォーマー。
【請求項４】
前記移動阻止手段は、前面に複数の爪を有するロック部材を備え、該ロック部材を前記ケース本体の内側面にその内方へ退出自在に配設し、前記爪を前記押し上げ板の移動域に突出させて、該押し上げ板の側縁に係合させる構成であることを特徴とする請求項２又は３記載のウェットティッシュウォーマー。
【請求項５】
前記移動阻止手段は、ドラムを備え、一端を前記押し上げ板に連結したワイヤーの他端を前記ドラムに巻回させ、該ドラムを回転させて、前記押し上げ板を降下させる構成であることを特徴とする請求項２又は３記載のウェットティッシュウォーマー。
【請求項６】
前記蓋と前記押し上げ板との間に配置され、ナップの取り出し方向に変位可能な内蓋を備えたことを特徴とする請求項２〜５のいずれか１項記載のウェットティッシュウォーマー。
【発明の詳細な説明】
【０００１】
【発明の属する技術分野】
本発明は、ウェットティッシュウォーマーに関するものである。
【０００２】
【従来の技術】
布おしぼりの代用品として、お手拭き用，キッチン用，トイレ掃除用，乳幼児や病人のお尻拭き用等の使い捨てタイプのウェットティッシュが幅広く使用されている。このような使い捨てタイプのウェットティッシュの容器には、大別して、ボトルタイプ（円筒形）、ボックスタイプ（箱型）、およびビニール袋タイプの３種類がある。
【０００３】
特に、乳幼児や病人のお尻拭き用のウェットティッシュを冬季等の気温の低い時期に使用する場合には、ウェットティッシュの温度が低いために、使用時に乳幼児や病人に不快感を与えてしまうことがあった。
このために、従来よりウェットティッシュを加温装置として、ウェットティッシュ全体を温めるものがあったが、これでは電力の消費となり、また最適温度にするのに時間がかかるかもしくはパワーの大きな加熱装置を必要とした。
【０００４】
そこで出願人は、これらの欠点を解決するウェットティッシュウォーマーを先に発明し、出願した（特開平８−１１７１３７号公報参照）。それは、蓋の裏側に加熱装置を付設し、ウェットティッシュをこの加熱装置に押しつけて、上位のティッシュを加熱するようにしたものである。
図１０はこのウェットティッシュウォーマー１００を図示している。
スプリング１０１によって上方へ付勢された押し上げ板１０２を内部に備えたケース本体１０３と、該ケース本体１０３の開口１０３ａを開閉自在に覆う蓋１０４とによって構成され、該蓋１０４の中央にティッシュ取り出し口１０５を備え、かつ該取り出し口１０５に小蓋１０６を備え、さらに蓋１０４の下部のティッシュ取り出し口１０５を除く部分にヒータ１０８を内装させたヒータ部１０７を備えている。
そして、このウェットティッシュウォーマー１００では、図１０に示したように、押し上げ板１０２にウェットティッシュパックＡを載置し、スプリング１０１の付勢力によってウェットティッシュパックＡを蓋１０４のヒータ部１０７に当接させてウェットティッシュパックＡを温めるようにしている。そして、ウェットティッシュａを使用する場合には、小蓋１０６を開成し、そこからウェットティッシュａを一枚づつ取り出す。
このウェットティッシュウォーマー１００によれば、ウェットティッシュパックＡのティッシュ取り出し部近くを重点的に加熱できるため、使用されるウェットティッシュａを効率よく加熱することができる。
【０００５】
【発明が解決しようとする課題】
ところで、市販のウェットティッシュパックにもいろいろなタイプがあり、その端部が柔らかくできているものから、端部が比較的潰れにくくできているものまでいろいろある。従来のウェットティッシュウォーマーの押し上げ板は図１０からわかるように平板状のものが用いられていたので、これらすべてのウェットティッシュパックに対してすべて最適に加熱が行われたわけではなかった。
なぜなら、端部処理が柔らかくできているパックを平板状の押し上げ板９に載せて蓋に圧接して加熱し使用する場合には、ナップのパックは圧縮コイルスプリング１０の押圧力で簡単に潰されるのでパックを蓋に圧接することができるため問題なかったが、端部が比較的潰れにくくできているパックの場合は平板状の押し上げ板だと図１１のようになるからである。すなわち、Ａが比較的潰れにくくできているパック（その端部比較的潰れにくくできている端部をＡ１部分とする。）の場合、圧縮コイルスプリング１０の押圧力Ｆではパックの端部Ａ１は潰れず、空隙ｔ２ができてしまい、したがってパックＡの中のウェットティッシュａを内蓋４に圧接することができなかったのである。
そこで、このようなパックＡを内蓋４に圧接するためには、押圧力がＦより大きい圧縮コイルスプリング１０を使用することが必要となる。そうすると逆に、ティッシュａをウェットティッシュウォーマーから取り出す場合に取り出し難くなる、という問題があった。
【０００６】
また、図１０のような端部が比較的潰れ易いウェットティッシュパックＡをウェットティッシュウオーマー１００で加熱する場合、ウェットティッシュパックＡを蓋１０４の内底面（ヒータ部１０７の下面）に圧接させているため、抵抗が大きく、ウェットティッシュａが取出し難いという問題があった。
そこで、ウェットティッシュａの取出しを容易にするために、ウェットティッシュパックＡへの付勢力を弱くすると、ウェットティッシュａが蓋１０４の内底面に密着しなくなり、ウェットティッシュａを十分に加熱できなくなる虞れがあった。
そこで、本発明の目的は上記課題を解消するもので、使用しようとするウェットティッシュの加熱を十分に行え、しかもそのウェットティッシュの取出しが容易なウェットティッシュウォーマーを提供することにある。
【０００７】
【課題を解決するための手段】
本発明は上記課題を解決するもので、請求項１記載のウェットティッシュウォーマーの発明は、ケース本体と、このケース本体の上部開口を開閉自在に覆う蓋体と、この蓋体の内部に収納されたヒータと、前記ケース本体内に上下可動に設けられた押し上げ板と、を備え、前記蓋体を閉じた状態で前記押し上げ板上に載置されウェットティッシュを前記蓋体に当接させて前記ウェットティッシュを温めるウェットティッシュウォーマーにおいて、前記押し上げ板が、中央部を上方に凸部とした上げ底形状であることを特徴としている。
【０００８】
以上の構成によれば、押し上げ板をその中央部を上方に凸部とした上げ底形状にしているので、この押し上げ板をウェットティッシュウォーマーの押し上げ板として用いればこの中央凸部によってパックＡの中央部だけを押圧して潰すため、パックＡの中のウェットティッシュａを確実にヒータ側に圧接することができることとなる。
【０００９】
また、請求項２記載のウェットティッシュウオーマーは、前記蓋を開けてウェットティッシュを取り出す時点で、前記押し上げ板の上方への移動を阻止している移動阻止手段を備えたことを特徴としている。
また、請求項３記載の発明は、前記蓋の開成に連動させて前記押し上げ板に作用して、ウェットティッシュを取り出す時点で、前記押し上げ板の上方への移動を阻止している移動阻止手段を備えたことを特徴としている。
また、請求項４記載の発明は、前記移動阻止手段が、前面に複数の爪を有するロック部材を備え、該ロック部材を前記ケース本体の内側面にその内方へ退出自在に配設し、前記爪を前記押し上げ板の移動域に突出させて、該押し上げ板の側縁に係合させる構成であることを特徴としている。
また、請求項５記載の発明は、前記移動阻止手段が、ドラムを備え、一端を前記押し上げ板に連結したワイヤーの他端を前記ドラムに巻回させ、該ドラムを回転させて、前記押し上げ板を降下させる構成であることを特徴としている。
また、請求項６記載の発明は、前記蓋と前記押し上げ板との間に配置され、ナップの取り出し方向に変位可能な内蓋を備えたことを特徴としている。
【００１０】
以上の構成によれば、ウェットティッシュを取り出す際に、ロック手段等の移動阻止手段により押し上げ板をロックすることによって、ウェットティッシュパックへの付勢を抑止させることができるので、ウェットティッシュの非使用状態においては、ウェットティッシュパックをヒータ内蔵の蓋へ強い力で圧接させて、ウェットティッシュへの十分な加熱を行うことができ、ウェットティッシュを使用する際には、蓋への圧接を停止させてウェットティッシュの取り出しを容易にすることができるようになる。
【００１１】
【発明の実施の形態】
以下、図面に基づいて本発明のウェットティッシュウォーマーを説明する。
図１は本発明の一実施の形態に係るウェットティッシュウォーマーの分解斜視図、図２は図１に９として略示されている上げ底形状の押し上げ板の斜視図である。図３はそのウェットティッシュウォーマーの主要部である押し上げ板ロック手段を示した分解斜視図、図４（ａ）、（ｂ）はその押し上げ板ロック手段の作用を示した要部断面図であり、図５はティッシュをケース本体から取り出す状態を示した斜視図、図６は図２の押し上げ板９の作用を説明する図である。
図１において、ウェットティッシュウォーマー１は、ケース本体２、蓋３、さらに蓋３のケース本体２側に内蓋４を備えている。そして、このウェットティッシュウォーマー１は、蓋３および内蓋４の一辺がヒンジ５、６によってそれぞれケース本体２に係合され、他辺の係合手段７、８によってケース本体２にそれぞれ係止されている。
ケース本体２は、その水平断面がウェットティッシュパックＡの形状に倣った略矩形状を成しており、上方に開口２ａを有している。そして、ケース本体２内には、押し上げ板９が配設されている。この押し上げ板９は、図１０のような平板状の押し上げ板１０２とは異なり、図２に示すようなその中央部を上方に凸部とした上げ底形状になっている。図２において、９がこの上げ底形状の中央凸部付き押し上げ板で、９ａが中央凸部、９ｂが平坦底部である。
この中央凸部付き押し上げ板９が平板状の押し上げ板１０２よりもより良い理由を図６を用いて説明する。図６において、押し上げ板９を図のような中央凸部９ａを備えた上げ底形状にすると、比較的潰れにくくできているパックＡの潰れにくい端部Ａ１部分は敢えて潰すことをせずに平坦底部９ｂによって収容しておき、中央凸部９ａによってパックＡの柔らかい中央部だけを小さい押圧力Ｆで持ち上げて潰すことができる。実際に加熱して使用される部分は中央部付近であるから、ナップの周縁部分はそんなに加熱しなくても格別問題はない。
このように、本発明によれば、パックＡの中の潰れにくい端部Ａ１は潰さないで、ウェットティッシュａの中央部だけを小さいバネ力で内蓋４に圧接することができることとなる。
このように、中央凸部付き押し上げ板９と平板状の押し上げ板９と比較すると、中央凸部付き押し上げ板９の場合はより小さいバネ力でナップを押し上げることができるため、ナップの内蓋への押しつけ力も小さくなり、取り出し性が良くなる。又、ナップ取り出し口の上面をヒーター等で温める構造のウォーマーにおいては、ナップをヒーター面に適切に圧着できるため、熱効率の向上効果をもたらすことができる。
【００１２】
図１に戻って、このような中央凸部付き押し上げ板９は、該押し上げ板９とケース本体２の底面との間に配装された圧縮コイルスプリング１０によって上方へ付勢されている。
また、ケース本体２の相対向する内側面２ｂ、２ｂには、付勢されて上方へ行こうとする押し上げ板をロックする押し上げ板ロック手段１１が配設されている。この押し上げ板ロック手段１１は、ケース本体２の内側面２ｂ、２ｂを囲って空間を画成する図３に図示したようなカバー１２と、該空間に収容され、押し上げ板９（図１参照）に係合する複数個の爪１３を有するロック部材１４と、蓋３の開成動作に連動させてロック部材１４を作動させる作動板１５とによって構成されている。カバー１２は、水平断面がコ字状を成している。そして、ケース本体２の内方に位置する前面板１２ａに矩形の孔１６が形成されている。また、このカバー１２は上部に天板１２ｂを有し、該天板１２ｂにも孔１７が形成されている。さらに、このカバー１２は、前面板１２ａの下部裏面にボス１８を備えている。
ロック部材１４の爪１３は、板体１４ａの表面の上下方向に並んで形成されている。また、この板体１４ａの上下方向中間両側部には、リーフスプリングを構成する細片１９が裏面方向へ延設されている。
また、作動板１５は、中央部に孔２０を有し、上部に裏面方向に延設された天板１５ａを有している。
【００１３】
そして、図４（ａ）に示したように、カバー１２がビス２１によってケース本体２に固定され、作動板１５はカバー１２の前面板１２ａの裏面に上下方向へ移動可能に添設され、ロック部材１４はその爪１３を作動板１５の孔２０およびカバー１２の孔１６に臨ませた状態で作動板１５の裏面に添設される。
そして、このように組み付けられた押し上げ板ロック手段１１では、ロック部材１４が細片１９によって常時ケース内方へ付勢される。
蓋３は、内部下面にヒータを内装したヒータ部２２（図１参照）を備え、両側部に下方へ突出する突起２３（図１参照）を備えており、さらに、上面に把手２４（図１参照）を備えている。
【００１４】
また、内蓋４は薄い板状をした弾性の樹脂等で形成され、両側部に形成した弧状の孔２５ａ、２５ａと、それらの孔２５ａ、２５ａをつなぐスリット２５ｂとによってＨ型のティッシュ取り出し口２５が形成されており、さらにスリット２５ｂの中間部には円形の孔２５ｃが形成されている。また、内蓋４の両側縁部には孔２６、２６が形成されている。これらの構成により、ウェットティッシュの取り出し方向に変位可能となっている。
したがって、蓋３を閉じている状態では内蓋４は蓋３の下面に接してヒータ部２２からの熱をウェットティッシュパックＡに伝え、蓋３を開けると、本発明による押し上げ板ロック手段１１で押し上げ板の移動がロックされ、かつこの内蓋４の２つに分かれている取り出し口が弾性でたわむようになっているため、ウェットティッシュを取り出すとき、取り出し口が弾性でたわみ、上部に若干の隙間が生じるため、ウェットティッシュが取り出し易くなる。
なお、内蓋４はこのようなＨ型のティッシュ取り出し口に限定されるものではなく、ウェットティッシュの取り出し方向に変位可能な素材・構成のものであれば何でもよい。
【００１５】
このように構成された蓋３および内蓋４は、各ヒンジ５、６によってそれぞれケース本体２に開閉自在に取付けられる。そして、ウェットティッシュパックＡはケース本体２の押し上げ板９上に載置された後に内蓋４が閉成される。すると、ウェットティッシュパックＡは押し上げ板９を介してスプリング１０によって上方へ付勢され、その上面が内蓋４に当接される。
また、ウェットティッシュａの非使用態様では、蓋３が閉成されている。
すると、図４（ａ）に示したように、蓋３の突起２３が内蓋４の孔２６、ロック手段１１を構成するカバー１２の孔１７を介してカバー１２内に挿入される。この突起は、図４（ａ）に示したように、作動板１５を押し下げるように作動するので、作動板１５が押し下げられると、孔２０の上縁でロック部材１４の爪１３を押すことになり、それによってロック部材１４は後退（ケース本体の側壁方向）される。したがって、ロック部材１４の爪１３はカバー１２の前面から内部へ引っ込まれ、押し上げ板９の移動を自由にする。
したがって、ウェットティッシュパックＡは押し上げ板９を介してスプリング１０によって上方へ付勢され、その上面が内蓋４に当接されることとなる。このとき、内蓋４を中間に介在させるとはいえ、使用時にまず取り出されるウェットティッシュパックＡの上方のウェットティッシュを蓋３内のヒータ部２２の近くに位置させることにより、効率良く加熱を行なうことができる。
【００１６】
次に、ウェットティッシュａを使用するために、蓋３を開成すると、図４（ｂ）に示したように、蓋３の突起２３が内蓋４の孔２６およびロック手段１１を構成するカバー１２の孔１７から脱出する。すると、ロック部材１４は、細片１９の付勢力によって該ロック部材１４を押し込んでいた作動板１５を上方へ押し上げながらケース本体２の内方へ距離ｔ１だけ飛び出し、押し上げ板９の縁部の直上に位置する爪１３が押し上げ板９に係合する。したがって、押し上げ板９は、スプリング１０の付勢力に抗してその位置に拘束されることとなり、これ以上、上方への移動は行わない。
したがって、この拘束状態で、ウェットティッシュパックＡからウェットティッシュａを取り出すと、図５に示したように、ウェットティッシュａと共に内蓋４のティッシュ取り出し口２５の縁部が上方へ撓むので、その分上下方向に若干の隙間ができるため、ウェットティッシュａをケース本体２から容易に取り出すことができる。
このように、上記第１実施の形態では、ロック手段１１において、ロック部材１４の爪１３を上面に傾斜面を形成し、該傾斜面に作動板１５を押し当てることによって、ロック部材１４を作動させるとともに、爪１３の下面（水平面）を押し上げ板９に係合させることで押し上げ板９の上方移動を阻止し、これと相まって、弾性のある内蓋４のティッシュ取り出し口２５が撓むことによって、ウェットティッシュを１枚取り出す際にナップの取り出し方向に若干隙間ができるので取り出し易くなると共に、若干のテンションがウェットティッシュにかかるので、１枚だけを他のウェットティッシュから分離し易くなる。
【００１７】
また、上記第１の実施の形態の変形例として、図７（ａ）に示したウェットティッシュウォーマーがある。これは図のように、爪１３の下面に傾斜面を形成し、図７（ｂ）に示したように、爪１３が押し上げ板９に当接したとき、爪１３の傾斜面で押し上げ板９を下げるようにしている。
さらに、図８（ａ）において、作動板１５が当接する爪（図においては最上段と最下段の爪）１３を除く爪１３に換えて、摩擦板２７を配設し、図８（ｂ）に示したように、該摩擦板２７を押し上げ板９に押し当てて、該押し上げ板９の上動を阻止するようにしてもよい。
【００１８】
上記第１の実施の形態および変形例では、ケース本体２の内側面にロック部材１４をケース本体２の内方へ退出自在に配設し、該ロック部材１４を蓋３の開成に応動してケース本体２の内方へ移動させ、該ロック部材１４の爪１３、摩擦板２７等を押し上げ板９の周縁部に係合させて、押し上げ板９をその位置にロックさせるようにした押し上げ板ロック手段１１を例示したもので、ロック部材１４自身の構造、例えばリーフスプリングを構成するための細片１９を一体に形成することなく、コイルスプリング等によってロック部材１４を付勢してもよく、またロック部材１４の設置構造、例えばカバー１２を使用してロック部材１４の収容空間を形成することなく、ケース本体２にその空間を形成してもよく、さらにまた、ロック部材１４の作動構造、例えば作動板１５を使用することなく、蓋３の突起２３をロック部材１４に直接当接させることによって、ロック部材１４を作動させるようにする等、各種態様を採用することができる。
【００１９】
また、ロック部材の作動を蓋３の開成に連動させているが、本発明は、これに限定されるものではなく、別途、押しボタンや操作レバーを蓋の上部又はウェットティッシュウォーマーの側面に設けておき、この押しボタンや操作レバーを操作することにより、ロック部材の作動を行わせるようにしてもかまわない。
【００２０】
図９は本発明の第２の実施の形態に係るもので、第１の実施の形態とは異なる構成の押し上げ板ロック手段を概念的に示した斜視図である。
この実施の形態では、押し上げ板９の下面にワイヤー２８を連結し、該ワイヤー２８の他端をケース本体２に設置したプーリ２９、２９を介してケース本体２の上部へ導き、その他端をケース本体２に回転自在に設置したドラム３０に巻回させている。
このドラム３０は、捩じりコイルスプリング３１によって一方向へ回転するように付勢されている。また、ドラム３０の軸３０ａには従動ギヤ３２が固設されており、該ギヤ３２には、駆動ギヤ３３が噛合されている。この駆動ギヤ３３は、蓋３の開成動作によって駆動されるように、例えば軸３３ａが蓋３のヒンジ５等に連結されている。また、この駆動ギヤ３３は、歯が欠落した欠歯部分３４を有しており、該欠歯部分３４は蓋３が閉成している状態で、従動ギヤ３２に対応し、その間にはギヤ３２、３３の連係は絶たれている。なお、捩じりコイルスプリング３１は、ワイヤー２８の弛みを防止するためのもので、本発明による中央凸部付き押し上げ板９を上方へ付勢しているコイルスプリング１０の付勢力に較べて、その付勢力は極めて小さい。
【００２１】
このように構成された押し上げ板ロック手段１１は、蓋３が閉じた状態にあるときには、ギヤ３２、３３が非噛合状態にあるため、押し上げ板９はコイルスプリング１０の付勢力によって上方に付勢され、該押し上げ板９上のウェットティッシュパックＡを押し上げている。
蓋３を開くと、それに連動して駆動ギヤ３３が回転される。すると、駆動ギヤ３３が従動ギヤ３２に噛合し、該従動ギヤ３２を介してドラム３０が回転され、ワイヤー２８が巻き取られる。したがって、押し上げ板９はコイルスプリング１０の付勢力に抗して降下され、該押し上げ板９上のウェットティッシュパックＡが降下して、内蓋４への圧接が解除される。この状態は、蓋３が閉成されるまで維持される。
【００２２】
なお、この実施の形態は、ケース本体２にドラム３０を配設するとともに、ワイヤーの一端を押し上げ板９に連結し、該ワイヤーの他端をドラム３０に巻回させ、該ドラム３０を蓋３の開成に応動して回転させることによってワイヤー２８を巻き取り、それによって押し上げ板９を降下させるようにした押し上げ板ロック手段１１を例示したもので、ドラム３０の回転駆動機構は各種態様を採用することができる。
例えば、この実施の形態では、駆動ギヤ３３の軸３３ａを蓋３のヒンジ５等の回転部に連結することによってドラム３０の回転を得ているが、蓋３にラックを形成し、該ラックを従動ギヤ３２に噛合させて、ドラム３０の回転を得ることもできる。なお、この場合もラックに欠歯部分を形成する必要がある。
【００２３】
また、上記第２実施の形態でも、蓋３の開閉動作に連動させて駆動ギヤ３３の回転をさせているが、本発明は、必ずしもこれに限定されるものではなく、別途、押しボタンや操作レバーを蓋の上部又はウェットティッシュウォーマーの側面に設けておき、この押しボタンや操作レバーを操作することにより、駆動ギヤ３３の回転を行わせるようにしてもかまわない。
さらに、小型モータを内蔵させ、これで駆動ギヤ３３の回転力を得るようにすれば、蓋３の開閉動作を軽くすることができる。
さらに、第１および第２実施の形態において、いずれも蓋は全体が開く構造のもので説明したが、本発明は、必ずしもこれに限定されるものではなく、図１０に示したウェットティッシュウォーマーのような小蓋１０６の部分だけが開閉するようなものであっても、もちろんよい。
【００２４】
【発明の効果】
以上説明したように、本発明に係る中央凸部付き押し上げ板９を用いるので、ナップは使う順に短時間（約４０分以内）で全体が温まるとともに、ナップの端面が潰れにくいものであっても、またナップの数量が少なくなってもパックが確実に上面に押しつけられ、上げ底により中央部が確実に潰されるため最後の１枚まで最初と同様に温められる。又上げ底の形状は、パックを潰すために必要とされるバネ力も小さくできるため取り出し口から楽に取り出せるようになる。
【００２５】
さらに、ウェットティッシュパックの収容ケースでは、内部に上方へ付勢された押し上げ板を備えたケース本体と、該ケース本体の開口を開閉自在に覆い、内部にヒータを備えた蓋とによって構成され、前記ケース本体の前記押し上げ板上に載置させたウェットティッシュパックを前記蓋を閉じた状態で該蓋に当接させて、前記ウェットティッシュパックを温めるようにしたウェットティッシュパックの収容ケースにおいて、前記ケース本体にロック手段を配設し、該ロック手段を前記蓋の開成に連動させて、前記押し上げ板をその位置に留まらせるようにしている。
この発明によれば、ウェットティッシュを取り出す際に、ロック手段によって押し上げ板をロックすることによって、ウェットティッシュパックへの付勢を抑止させることができる。したがって、ウェットティッシュの非使用状態においては、ウェットティッシュパックをヒータ部へ強い力で圧接させて、ウェットティッシュへの十分な加熱を行うことができ、ウェットティッシュを使用する際に、ウェットティッシュパックのヒータ部への圧接を停止させてウェットティッシュの取り出しを容易にすることができる。
【００２６】
さらに、蓋と押し上げ板との間に、ナップの取り出し方向に変位可能な内蓋を設けたので、ウェットティッシュを１枚取り出す際に、ナップの取り出し方向に若干変位するので隙間ができ取り出し易くなると共に、若干のテンションがウェットティッシュにかかるので、１枚だけを他のウェットティッシュから分離し易くなる。
【図面の簡単な説明】
【図１】本発明の一実施の形態に係るウェットティッシュウォーマーを示した分解斜視図である。
【図２】中央部を上方に凸部とした上げ底形状の押し上げ板の斜視図である。
【図３】図１のウェットティッシュウォーマーにおける主要部である押し上げ板ロック手段を示した分解斜視図である。
【図４】図３の押し上げ板ロック手段の作用を示した要部断面図であり、図４（ａ）はその非作動状態を示し、図４（ｂ）はその作動状態を示している。
【図５】図１のウェットティッシュウォーマーにおいて、ティッシュをケース本体から取り出す状態を示した斜視図である。
【図６】図２の押し上げ板９の作用を説明する図である。
【図７】図１に示したウェットティッシュウォーマーにおける押し上げ板ロック手段の変形例を示した断面図であり、図７（ａ）はその非作動状態を示し、図７（ｂ）はその作動状態を示している。
【図８】図１に示したウェットティッシュウォーマーにおける押し上げ板ロック手段の他の変形例を示した断面図であり、図８（ａ）はその非作動状態を示し、図８（ｂ）はその作動状態を示している。
【図９】本発明に係るウェットティッシュウォーマーにおける押し上げ板ロック手段の他の実施の形態を示した概念的な斜視図である。
【図１０】従来のウェットティッシュウォーマーを示した断面図である。
【図１１】平板状の押し上げ板９の作用を説明する図である。
【符号の説明】
１        ウェットティッシュウォーマー
２        ケース本体
２ａ      開口
２ｂ      内側面
３        蓋
４        内蓋
５、６      ヒンジ
７、８      係合手段
９      中央凸部付き押し上げ板
９ａ    中央凸部
９ｂ    平坦底部
１０        圧縮コイルスプリング
１１        押し上げ板ロック手段
１２        カバー
１２ａ      前面板
１２ｂ      天板
１３        爪
１４        ロック部材
１４ａ      板体
１５        作動板
１５ａ      天板
１６、１７  孔
１８        ボス
１９        細片
２０        孔
２１        ビス
２２        ヒータ部
２３        突起
２４        把手
２５        ティッシュ取り出し口
２５ａ      弧状の孔
２５ｂ      スリット
２５ｃ      円形の孔
２６        孔
２７        摩擦板
２８        ワイヤー
２９        プーリ
３０        ドラム
３０ａ      軸
３１        捩じりコイルスプリング
３２        従動ギヤ
３３        駆動ギヤ
３３ａ      軸
３４        欠歯部分
Ａ          ウェットティッシュパック
Ａ１        比較的潰れにくい部分
ａ          ウェットティッシュ
Ｆ          押圧力
【図１】
0004443686.tif 000002
【図２】
0004443686.tif 000003
【図３】
0004443686.tif 000004
【図４】
0004443686.tif 000005
【図５】
0004443686.tif 000006
【図６】
0004443686.tif 000007
【図７】
0004443686.tif 000008
【図８】
0004443686.tif 000009
【図９】
0004443686.tif 000010
【図１０】
0004443686.tif 000011
【図１１】
0004443686.tif 000012